【手続補正書】
【提出日】平成21年10月2日(2009.10.2)
【手続補正１】
【補正対象書類名】特許請求の範囲
【補正対象項目名】全文
【補正方法】変更
【補正の内容】
【特許請求の範囲】
【請求項１】
被写体を撮像する撮像手段と、
前記撮像手段を介して被写体を示す画像信号を連続的に取得する画像取得手段と、
前記取得した画像信号に基づいてスルー動画を表示する表示手段と、
前記取得した画像信号から被写体の顔を認識する顔認識手段と、
前記認識された顔から追従対象の顔を設定する設定手段と、
前記追従対象として設定された顔に対して追従動作を行う顔追従手段と、
前記追従対象として設定された顔を記憶する顔情報記憶手段と、
前記追従対象の顔が撮影範囲に入るように撮像装置の移動方向を前記表示手段に表示する通知手段と、
を備え、
前記設定手段は、前記顔認識手段により前記顔情報記憶手段に記憶された顔と類似した顔が認識された場合には前記記憶された顔を追従対象とし、前記顔認識手段により前記顔情報記憶手段に記憶された顔と類似した顔が認識されなかった場合には所定の条件を満たす顔を追従対象として設定することを特徴とする撮像装置。
【請求項２】
前記通知手段は、前記追従対象の顔の一部が撮影範囲の外側に位置すると、当該追従対象の顔が撮影範囲に入るように撮像装置の移動方向を前記表示手段に表示することを特徴とする請求項１に記載の撮像装置。
【請求項３】
前記通知手段は、前記追従対象の顔の一部が撮影範囲の内側に設定された所定の枠の外側に位置すると、当該追従対象の顔が前記枠に入るように撮像装置の移動方向を前記表示手段に表示することを特徴とする請求項２に記載の撮像装置。
【請求項４】
前記通知手段は、前記追従対象の顔の一部が前記枠の外側に位置する場合と、前記追従対象の顔の一部が撮影範囲の外側に位置する場合とで異なる表示を行うことを特徴とする請求項３に記載の撮像装置。
【請求項５】
前記設定手段は、前記所定の条件を満たす顔として、前記顔認識手段が認識した顔のうちの一番大きな顔、一番画角中央に近い顔、又は一番先に認識した顔を前記追従対象の顔として設定することを特徴とする請求項１乃至４のいずれかに記載の撮像装置。
【請求項６】
被写体を撮像する撮像手段と、
前記撮像手段を介して被写体を示す画像信号を連続的に取得する画像取得手段と、
前記取得した画像信号に基づいてスルー動画を表示する表示手段と、
前記連続的に取得した画像信号から被写体の顔を所定の時間間隔で連続的に認識する顔認識手段と、
被写体の顔の追従を指示する追従指示手段と、
前記連続的に認識した被写体の顔の複数の位置情報及び顔認識の時間間隔に基づいて前記追従指示手段による追従の指示時点から所定の時間経過後の被写体の顔の位置を予測する予測手段と、
前記予測した被写体の顔の位置を前記表示手段に表示する通知手段と、
を備えたことを特徴とする撮像装置。
【請求項７】
前記通知手段は、前記追従指示手段から追従の指示が入力されてから一定の期間、前記予測した被写体の顔の位置を撮影者に通知することを特徴とする請求項６に記載の撮像装置。
【請求項８】
被写体を示す画像信号を連続的に取得するステップと、
前記取得した画像信号から被写体の顔を認識するステップと、
前記被写体の顔を認識するステップにおいて、記憶手段に記憶された顔と類似した顔が認識された場合には前記記憶された顔を追従対象として設定し、前記記憶手段に記憶された顔と類似した顔が認識されなかった場合には所定の条件を満たす顔を前記記憶手段に記憶すると共に追従対象として設定するステップと、
前記追従対象として設定された顔に対して追従動作を行うステップと、
前記取得した画像信号に基づいてスルー動画を表示手段に表示するともに前記追従対象の顔が撮影範囲に入るように撮像装置の移動方向を前記表示手段に表示するステップと、
を備えたことを特徴とする撮像方法。
【請求項９】
前記表示手段に表示するステップでは、前記追従対象の顔の一部が撮影範囲の外側に位置すると、当該追従対象の顔が撮影範囲に入るような撮像装置の移動方向が前記表示手段に表示されることを特徴とする請求項８に記載の撮像方法。
【請求項１０】
前記表示手段に表示するステップでは、前記追従対象の顔の一部が撮影範囲の内側に設定された所定の枠の外側に位置すると、当該追従対象の顔が前記枠に入るような撮像装置の移動方向が前記表示手段に表示されることを特徴とする請求項９に記載の撮像方法。
【請求項１１】
前記表示手段に表示するステップでは、前記追従対象の顔の一部が前記枠の外側に位置する場合と、前記追従対象の顔の一部が撮影範囲の外側に位置する場合とで異なる表示が行われることを特徴とする請求項１０に記載の撮像方法。
【請求項１２】
前記所定の条件を満たす顔を前記記憶手段に記憶すると共に追従対象として設定するステップでは、前記所定の条件を満たす顔として、認識した顔のうちの一番大きな顔、一番画角中央に近い顔、又は一番先に認識した顔が前記追従対象の顔として設定されることを特徴とする請求項８乃至１１のいずれかに記載の撮像方法。
【請求項１３】
被写体を示す画像信号を連続的に取得するステップと、
前記取得した画像信号から被写体の顔を認識するステップと、
被写体の顔の追従を指示するステップと、
前記連続的に認識した被写体の顔の複数の位置情報及び顔認識の時間間隔に基づいて前記追従の指示時点から所定の時間経過後の被写体の顔の位置を予測するステップと、
前記取得した画像信号に基づいてスルー動画を表示手段に表示するともに前記予測した被写体の顔の位置を前記表示手段に表示するステップと、
を備えたことを特徴とする撮像方法。
【請求項１４】
前記表示手段に表示するステップでは、前記追従の指示が入力されてから一定の期間、前記予測した被写体の顔の位置が撮影者に通知されることを特徴とする請求項１３に記載の撮像方法。
【手続補正２】
【補正対象書類名】明細書
【補正対象項目名】発明の名称
【補正方法】変更
【補正の内容】
【発明の名称】撮像装置及び撮像方法
【手続補正３】
【補正対象書類名】明細書
【補正対象項目名】０００８
【補正方法】変更
【補正の内容】
【０００８】
前記目的を達成するために請求項１に係る撮像装置は、被写体を撮像する撮像手段と、前記撮像手段を介して被写体を示す画像信号を連続的に取得する画像取得手段と、前記取得した画像信号に基づいてスルー動画を表示する表示手段と、前記取得した画像信号から被写体の顔を認識する顔認識手段と、前記認識された顔から追従対象の顔を設定する設定手段と、前記追従対象として設定された顔に対して追従動作を行う顔追従手段と、前記追従対象として設定された顔を記憶する顔情報記憶手段と、前記追従対象の顔が撮影範囲に入るように撮像装置の移動方向を前記表示手段に表示する通知手段と、を備え、前記設定手段は、前記顔認識手段により前記顔情報記憶手段に記憶された顔と類似した顔が認識された場合には前記記憶された顔を追従対象とし、前記顔認識手段により前記顔情報記憶手段に記憶された顔と類似した顔が認識されなかった場合には所定の条件を満たす顔を追従対象として設定することを特徴としている。
【手続補正４】
【補正対象書類名】明細書
【補正対象項目名】００１０
【補正方法】変更
【補正の内容】
【００１０】
請求項２に示すように請求項１に記載の撮像装置において、前記通知手段は、前記追従対象の顔の一部が撮影範囲の外側に位置すると、当該追従対象の顔が撮影範囲に入るように撮像装置の移動方向を前記表示手段に表示することを特徴としている。
【手続補正５】
【補正対象書類名】明細書
【補正対象項目名】００１１
【補正方法】変更
【補正の内容】
【００１１】
請求項３に示すように請求項２に記載の撮像装置において、前記通知手段は、前記追従対象の顔の一部が撮影範囲の内側に設定された所定の枠の外側に位置すると、当該追従対象の顔が前記枠に入るように撮像装置の移動方向を前記表示手段に表示することを特徴としている。
【手続補正６】
【補正対象書類名】明細書
【補正対象項目名】００１２
【補正方法】変更
【補正の内容】
【００１２】
請求項４に示すように請求項３に記載の撮像装置において、前記通知手段は、前記追従対象の顔の一部が前記枠の外側に位置する場合と、前記追従対象の顔の一部が撮影範囲の外側に位置する場合とで異なる表示を行うことを特徴としている。
【手続補正７】
【補正対象書類名】明細書
【補正対象項目名】００１３
【補正方法】変更
【補正の内容】
【００１３】
請求項５に示すように請求項１乃至４のいずれかに記載の撮像装置は、前記設定手段は、前記所定の条件を満たす顔として、前記顔認識手段が認識した顔のうちの一番大きな顔、一番画角中央に近い顔、又は一番先に認識した顔を前記追従対象の顔として設定することを特徴としている。
【手続補正８】
【補正対象書類名】明細書
【補正対象項目名】００１５
【補正方法】変更
【補正の内容】
【００１５】
請求項６に係る撮像装置は、被写体を撮像する撮像手段と、前記撮像手段を介して被写体を示す画像信号を連続的に取得する画像取得手段と、前記取得した画像信号に基づいてスルー動画を表示する表示手段と、前記連続的に取得した画像信号から被写体の顔を所定の時間間隔で連続的に認識する顔認識手段と、被写体の顔の追従を指示する追従指示手段と、前記連続的に認識した被写体の顔の複数の位置情報及び顔認識の時間間隔に基づいて前記追従指示手段による追従の指示時点から所定の時間経過後の被写体の顔の位置を予測する予測手段と、前記予測した被写体の顔の位置を前記表示手段に表示する通知手段と、を備えたことを特徴としている。
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】変更
【補正の内容】
【００１９】
請求項７に示すように請求項６に記載の撮像装置において、前記通知手段は、前記追従指示手段から予測指示が入力されてから一定の期間、前記予測した被写体の顔の位置を撮影者に通知することを特徴としている。
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】